【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
ユーザを識別するユーザ識別情報に、記憶媒体に記憶された前記記憶媒体を識別する記憶媒体識別情報及び機能に関する使用可能機能情報を関連付けて記憶する記憶手段と、
前記記憶媒体から記憶媒体識別情報を受信する受信手段と、
前記記憶手段に記憶されている前記記憶媒体識別情報のうち、前記受信手段で受信した記憶媒体識別情報と一致する前記記憶媒体識別情報に基づいて認証処理を行う認証制御手段と、
前記認証処理に用いられた前記記憶媒体識別情報に基づいて特定されたユーザ識別情報に関連付けられた前記使用可能機能情報から使用可能機能範囲を特定する特定手段と、
を有することを特徴とする画像形成装置。
【請求項２】
前記記憶手段に記憶された前記ユーザ識別情報のうち所望のユーザ識別情報に対して、該ユーザ識別情報に関連付けて記憶されている前記使用可能機能情報の変更を行い、該変更を前記記憶手段に記憶させる更新手段をさらに備える請求項１に記載の画像形成装置。
【請求項３】
新たなユーザのユーザ識別情報に、使用可能機能情報と、記憶媒体識別情報とを関連付けて前記記憶手段に記憶する登録手段をさらに備える請求項１又は２に記載の画像形成装置。
【請求項４】
前記記憶媒体はＩＣカードであり、
前記登録手段は、前記画像形成装置が備えるＩＣカードリーダーにより読み出されたＩＣカードの情報を記憶媒体識別情報として前記記憶手段に記憶する請求項３に記載の画像形成装置。
【請求項５】
特定されたユーザの前記使用可能機能範囲に対応する機能操作ボタンを含む操作画面を表示する操作画面表示手段をさらに備える請求項１乃至４の何れか一項に記載の画像形成装置。
【請求項６】
前記使用可能機能範囲により使用できる機能が限定されている場合に、前記操作画面表示手段は使用できる機能の機能操作ボタンを操作画面に表示する請求項５に記載の画像形
成装置。
【請求項７】
前記特定手段によって特定される使用可能機能範囲は、前記画像形成装置において前記特定されたユーザ識別情報によって識別されるユーザの使用が許可される機能範囲であって、
前記特定手段によって前記使用可能機能範囲を特定することによって、前記ユーザに対応した前記画像形成装置における使用可能な機能を限定することを特徴とする請求項１乃至６の何れか一項に記載の画像形成装置。
【請求項８】
前記画像形成装置における使用可能な機能は、スキャナ機能、複写機能、ファクシミリ機能、印刷機能のうち少なくとも何れかを含むことを特徴とする請求項７に記載の画像形成装置。
【請求項９】
前記特定されたユーザ識別情報に関連付けられた印刷データが、前記特定された使用可能機能範囲内で印刷されるよう制御する制御手段をさらに備えることを特徴とする請求項１乃至８の何れか一項に記載の画像形成装置。
【請求項１０】
前記記憶手段に記憶される前記記憶媒体識別情報及び前記使用可能機能情報が関連付けられた前記ユーザ識別情報は、前記ユーザ識別情報に対して読み取った記憶媒体の記憶媒体識別情報を関連付け、さらに前記ユーザ識別情報に対して前記使用可能機能情報を設定する指示を受け付けることによって関連付けられた情報であることを特徴とする請求項１乃至９の何れか一項に記載の画像形成装置。
【請求項１１】
前記記憶手段に記憶される前記記憶媒体識別情報及び前記使用可能機能情報が関連付けられた前記ユーザ識別情報は、前記画像形成装置にネットワークを介して接続された情報処理装置が記憶する前記記憶媒体識別情報及び前記使用可能機能情報が関連付けられた前記ユーザ識別情報に変更があった場合に更新される情報であることを特徴とする請求項1乃至１０の何れか一項に記載の画像形成装置。
【請求項１２】
前記ユーザ識別情報に関連付けられた前記使用可能機能情報に対応する機能を実行した処理の処理結果データを管理サーバに送信する送信手段をさらに備えることを特徴とする請求項１乃至１１の何れか一項に記載の画像形成装置。
【請求項１３】
ユーザを識別するユーザ識別情報に、記憶媒体に記憶された前記記憶媒体を識別する記憶媒体識別情報及び機能に関する使用可能機能情報を関連付けて記憶する記憶ステップと、
前記記憶媒体から記憶媒体識別情報を受信する受信ステップと、
前記記憶ステップで記憶された前記記憶媒体識別情報のうち、前記受信ステップで受信した記憶媒体識別情報と一致する前記記憶媒体識別情報に基づいて認証処理を行う認証制御ステップと、
前記認証処理に用いられた前記記憶媒体識別情報に基づいて特定されたユーザ識別情報に関連付けられた前記使用可能機能情報から使用可能機能範囲を特定する特定ステップと、
を有することを特徴とする画像形成方法。
【請求項１４】
画像形成装置を、
ユーザを識別するユーザ識別情報に、記憶媒体に記憶された前記記憶媒体を識別する記憶媒体識別情報及び機能に関する使用可能機能情報を関連付けて記憶する記憶手段、
前記記憶媒体から記憶媒体識別情報を受信する受信手段、
前記記憶手段に記憶されている前記記憶媒体識別情報のうち、前記受信手段で受信した
記憶媒体識別情報と一致する前記記憶媒体識別情報に基づいて認証処理を行う認証制御手段、及び
前記認証処理に用いられた前記記憶媒体識別情報に基づいて特定されたユーザ識別情報に関連付けられた前記使用可能機能情報から使用可能機能範囲を特定する特定手段
として機能させることを特徴とするプログラム。
【手続補正２】
【補正対象書類名】明細書
【補正対象項目名】発明の名称
【補正方法】変更
【補正の内容】
【発明の名称】画像形成装置、画像形成方法及びプログラム
【手続補正３】
【補正対象書類名】明細書
【補正対象項目名】０００１
【補正方法】変更
【補正の内容】
【０００１】
本発明は、画像形成装置、画像形成方法及びプログラムに関する。
【手続補正４】
【補正対象書類名】明細書
【補正対象項目名】０００５
【補正方法】変更
【補正の内容】
【０００５】
本発明は、上述の課題に鑑みてなされ、その目的は、複合機等の印刷機能を備える機器の利用において、ＩＣカード等の記憶媒体を用いてセキュリティを維持しながら利便的なユーザ認証ができる画像形成装置、画像形成方法及びプログラムを提供することにある。
【手続補正５】
【補正対象書類名】明細書
【補正対象項目名】０００６
【補正方法】変更
【補正の内容】
【０００６】
上記問題点を解決するために、本発明に係る画像形成装置は、ユーザを識別するユーザ識別情報に、記憶媒体に記憶された前記記憶媒体を識別する記憶媒体識別情報及び機能に関する使用可能機能情報を関連付けて記憶する記憶手段と、前記記憶媒体から記憶媒体識別情報を受信する受信手段と、前記記憶手段に記憶されている前記記憶媒体識別情報のうち、前記受信手段で受信した記憶媒体識別情報と一致する前記記憶媒体識別情報に基づいて認証処理を行う認証制御手段と、前記認証処理に用いられた前記記憶媒体識別情報に基づいて特定されたユーザ識別情報に関連付けられた前記使用可能機能情報から使用可能機能範囲を特定する特定手段と、を有することを特徴とする。
【手続補正６】
【補正対象書類名】明細書
【補正対象項目名】０００７
【補正方法】変更
【補正の内容】
【０００７】
本発明に係る画像形成方法は、ユーザを識別するユーザ識別情報に、記憶媒体に記憶された前記記憶媒体を識別する記憶媒体識別情報及び機能に関する使用可能機能情報を関連付けて記憶する記憶ステップと、前記記憶媒体から記憶媒体識別情報を受信する受信ステ
ップと、前記記憶ステップで記憶された前記記憶媒体識別情報のうち、前記受信ステップで受信した記憶媒体識別情報と一致する前記記憶媒体識別情報に基づいて認証処理を行う認証制御ステップと、前記認証処理に用いられた前記記憶媒体識別情報に基づいて特定されたユーザ識別情報に関連付けられた前記使用可能機能情報から使用可能機能範囲を特定する特定ステップと、を有することを特徴とする。
【手続補正７】
【補正対象書類名】明細書
【補正対象項目名】０００８
【補正方法】変更
【補正の内容】
【０００８】
本発明に係るプログラムは、画像形成装置を、ユーザを識別するユーザ識別情報に、記憶媒体に記憶された前記記憶媒体を識別する記憶媒体識別情報及び機能に関する使用可能機能情報を関連付けて記憶する記憶手段、前記記憶媒体から記憶媒体識別情報を受信する受信手段、前記記憶手段に記憶されている前記記憶媒体識別情報のうち、前記受信手段で受信した記憶媒体識別情報と一致する前記記憶媒体識別情報に基づいて認証処理を行う認証制御手段、及び前記認証処理に用いられた前記記憶媒体識別情報に基づいて特定されたユーザ識別情報に関連付けられた前記使用可能機能情報から使用可能機能範囲を特定する特定手段として機能させることを特徴とする。